(57)【要約】    【課題】  光源から原稿に光を照射して画像読取りを行う画像読取装置において、光源の光量調整において外光の影響を受けた場合にも良好な読取画像を得ることができる手段を提供する。    【解決手段】  複合機１の制御部５５は、原稿押さえカバー６の開姿勢を検知した場合に、所定の光量設定値を画像読取りの際にＣＩＳユニット４０の光源４２から照射する光の光量値とするものである。したがって、原稿押さえカバー６が開姿勢の場合に外光Ｌの影響を受けた光量調整値を用いることなく、ＣＩＳユニット４０による画像読取りを行うことができる。【選択図】  図８
2006311316.tif 000002
【特許請求の範囲】
【請求項１】
原稿を載置するための透過部材を有する原稿載置台と、
上記透過部材を覆うようにして原稿載置台に開閉自在に設けられた原稿押さえ部材と、
光源から原稿に光を照射し、その反射光に基づいて該原稿に記録された画像を読み取る画像読取手段と、
上記透過部材の原稿載置面と反対側に配設され、上記画像読取手段を搭載して透過部材に沿って所定方向へ往復移動する走査手段と、
上記原稿押さえ部材の開閉を検知する開閉検知手段と、
上記画像読取手段の画像読取り及び上記走査手段の往復移動を制御する制御手段と、
上記透過部材が上記原稿載置台の外面として露出された領域に配設され、上記画像読取手段の明度基準となる基準部材と、を具備してなる画像読取装置であって、
上記制御手段は、上記開閉検知手段が上記原稿押さえ部材の開姿勢を検知した場合に、所定の光量設定値を画像読取りの際に光源から照射する光の光量値とするものである画像読取装置。
【請求項２】
上記制御手段は、上記光量設定値として予め設定された所定の光量値を用いるものである請求項１に記載の画像読取装置。
【請求項３】
上記制御手段は、上記開閉検知手段が上記原稿押さえ部材の閉姿勢を検知している際に上記基準部材に対して上記画像読取手段の光源の光量調整を行って得られた光量調整値を記憶し、該光量調整値を上記光量設定値とするものである請求項１に記載の画像読取装置。
【請求項４】
上記開閉検知手段は、原稿載置台に進入する外光の有無を検知することにより、上記原稿押さえ部材の開閉を検知するものである請求項１から３のいずれかに記載の画像読取装置。
【請求項５】
上記開閉検知手段は、上記画像読取手段が上記基準部材に対して光量調整を行って得られた光量調整値が所定範囲外である場合に、原稿押さえ部材が開姿勢と検知するものである請求項４に記載の画像読取装置。
【請求項６】
上記開閉検知手段は、上記画像読取手段が光源を消灯して上記基準部材を読み取った際の読取値が所定範囲外である場合に、原稿押さえ部材が開姿勢と検知するものである請求項４に記載の画像読取装置。
【請求項７】
上記基準部材は、上記走査手段の移動方向に白色部分と黒色部分とが設けられたものであり、
上記開閉検知手段は、上記画像読取手段が光源を消灯して上記基準部材の白色部分と黒色部分とをそれぞれ読み取った際の読取値の差が所定の閾値以上である場合に、原稿押さえ部材が開姿勢と検知するものである請求項４に記載の画像読取装置。
【請求項８】
上記制御手段は、上記基準部材に対して上記画像読取手段の光源の光量調整を行って得られた光量調整値に基づいて、該基準部材に対して光源から光を照射して画像読取手段の明度基準を取得するものである請求項１から７のいずれかに記載の画像読取装置。
【請求項９】
上記基準部材は、上記透過部材と、該透過部材が上記原稿載置台の外面として露出された領域に配設されて該領域を区画する区画部材との間に介設されたものである請求項１から８のいずれかに記載の画像読取装置。
【請求項１０】
上記区画部材は、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである請求項９に記載の画像読取装置。
【請求項１１】
上記押さえ部材に、給紙トレイに装填された原稿を上記搬送原稿読取領域へ搬送して排紙トレイへ排出する自動原稿搬送機構が設けられ、
上記区画部材は、上記押さえ部材側の面に、読取前の原稿を搬送原稿読取領域へ案内するガイド面が形成されたものである請求項１０に記載の画像読取装置。
【請求項１２】
上記画像読取手段は、密着型イメージセンサである請求項１から１１のいずれかに記載の画像読取装置。
【発明の詳細な説明】
【技術分野】
【０００１】
本発明は、原稿載置台の透過部材を通じて、原稿に光を照射して画像読取りを行う画像読取装置に関するものであり、特に、光源から照射する光量を基準部材に対して調整する画像読取装置に関するものである。
【背景技術】
【０００２】
従来より、複写機やスキャナ、これら機能を併有する多機能装置に搭載される画像読取装置として、フラットベッドスキャナや、給紙トレイから搬送路を経て排紙トレイへ原稿を搬送するＡＤＦ（Auto Document Feeder）と呼ばれる自動原稿搬送機構に、ＣＣＤ（Charge Coupled Device）やＣＩＳ（Contact Image Sensor）等の画像読取手段を所定位置に配設して、搬送中の原稿の画像を読み取るものが知られている。
【０００３】
例えば、図１１に示すような従来の画像読取装置９０では、原稿押さえカバー９１にＡＤＦ９２が備えられており、該ＡＤＦ９２により、給紙トレイの原稿がプラテンガラス９３のＡＤＦ読取領域９３Ａへ搬送され、原稿載置台９４内に配設されたイメージスキャナ（不図示）により、ＡＤＦ読取領域９３Ａ上を通過する原稿の画像を読み取ることができる。また、画像読取装置９０は、フラットベッドスキャナとして用いることもでき、プラテンガラス９３の静止原稿読取領域９３Ｂに載置した原稿を、原稿押さえカバー９１を閉じて押圧して固定し、原稿載置台９４内に配設されたイメージスキャナにより、該原稿の画像を読み取ることができる。
【０００４】
上記イメージセンサとして用いられるＣＣＤやＣＩＳは、プラテンガラス９３へ向かって光源から光を出射し、該光がプラテンガラス９３を通過して原稿の表面で反射され、該反射光を受光素子で電気信号に変換することにより、原稿の画像を光学的に読み取るものである。このようなイメージセンサの光源や受光素子には、光量のばらつきや配光ムラ、感度ムラがあるので、白色の基準部材に対して光源の光量調整を行った後に、該基準部材を読み取って白レベルデータ及び黒レベルデータを取得し、これら白レベルデータ及び黒レベルデータに基づいて読取データを補正する所謂シェーディング補正が行われる。例えば、上記画像読取装置９０では、プラテンガラス９３をＡＤＦ読取領域９３Ａと静止原稿読取領域９３Ｂとに区画する区画部材９５の裏面側に基準部材が配設されており、原稿の画像読取りに先立って、該基準部材に対して光量調整及び基準データの取得が行われる。
【０００５】
ところで、近年、イメージセンサの感度が向上するに伴い照度の低い光源を用いることが可能となっており、例えばＣＩＳではＬＥＤ（Light Emitting Diode）光源や、ＬＥＤと線状導光体を用いたＬＩＤＥ光源が採用されている。このような光源の低照度化により、基準部材への外光の影響が大きくなるという問題がある。外光とは、上記画像読取装置９０において、プラテンガラス９３の静止原稿読取領域９３Ｂに原稿を載置し、図に示すように原稿押さえカバー９１を開いた状態でイメージスキャナにより画像読取りを行う場合に、ＡＤＦ読取領域９３Ａ等から原稿載置台９４内に進入する屋内や屋外の光である。
【０００６】
このような外光は、原稿押さえカバー９１を閉じればプラテンガラス９３全域が覆われるので、原稿載置台９４内に進入することはないが、例えば、厚みのあるブック原稿の画像読取りを行う場合には、原稿押さえカバー９１を完全に閉じることができず、外光が原稿載置台９４内へ進入することがある。また、サイズの大きい原稿を読み取るような場合には、読取位置を確認するために敢えて原稿押さえカバー９１を閉じずに画像読取りを行う場合があり、そのような場合にも外光が原稿載置台９４内に進入することがある。
【０００７】
仮に、外光に対して光源の照度が十分に大きい場合には、基準部材からの反射光も十分に大きくなるので、該反射光に若干の外光が加わっても、その影響は読取画像の顕著な劣化として現れない。しかし、光源の照度が小さくなれば反射光も小さくなるので、該反射光に加わる外光の比率が大きくなる。例えば、光量調整において外光が影響すれば、イメージセンサの光源は、外光の分だけ小さな光量に調整される。したがって、該光源から原稿に照射される光量も小さくなり、読取画像が黒っぽくなるという問題が生じる。特に、静止原稿読取領域９３Ｂに載置された原稿に対してイメージセンサが走査される場合に、ＡＤＦ読取領域９３Ａから離れるほど外光の影響が小さくなるので、画像の劣化が顕著である。このような問題に対して、例えば、イメージセンサの両側に遮光板を設けて、イメージセンサの受光素子に外光が進入することを防止する手段が提案されている（特許文献１参照）。
【０００８】
【特許文献１】特開２００３−１３４３０７号公報
【発明の開示】
【発明が解決しようとする課題】
【０００９】
イメージセンサに遮蔽板を設けることにより、例えばイメージセンサの側方から進入する外光を遮断することができるとしても、プラテンガラス９３の厚み内に進入する外光を遮断することはできない。特に、装置の小型化の要請から、上記区画部材９５に十分な幅を設定することができない場合や、プラテンガラス９３を１枚のガラス板で構成した場合等では、基準部材に対するイメージセンサの出力調整の際に外光が影響するという問題がある。
【００１０】
本発明は、かかる問題に鑑みてなされたものであり、光源から原稿に光を照射して画像読取りを行う画像読取装置において、光源の光量調整において外光の影響を受けた場合にも良好な読取画像を得ることができる手段を提供することを目的とする。
【課題を解決するための手段】
【００１１】
本発明は、原稿を載置するための透過部材を有する原稿載置台と、上記透過部材を覆うようにして原稿載置台に開閉自在に設けられた原稿押さえ部材と、光源から原稿に光を照射し、その反射光に基づいて該原稿に記録された画像を読み取る画像読取手段と、上記透過部材の原稿載置面と反対側に配設され、上記画像読取手段を搭載して透過部材に沿って所定方向へ往復移動する走査手段と、上記原稿押さえ部材の開閉を検知する開閉検知手段と、上記画像読取手段の画像読取り及び上記走査手段の往復移動を制御する制御手段と、上記透過部材が上記原稿載置台の外面として露出された領域に配設され、上記画像読取手段の明度基準となる基準部材と、を具備してなる画像読取装置であって、上記制御手段は、上記開閉検知手段が上記原稿押さえ部材の開姿勢を検知した場合に、所定の光量設定値を画像読取りの際に光源から照射する光の光量値とするものである。
【００１２】
原稿載置台に対して原稿押さえ部材が閉じられることにより、透過部材に載置された原稿が該透過部材に押圧されるとともに該透過部材が覆われる。これにより、原稿載置台の内部に外光が進入することが防止される。そして、制御手段が、走査手段及び画像読取手段を動作させることにより、上記原稿の画像読取りが行われる。この画像読取りに先だって、制御手段は、画像読取手段の光源の光量調整を行う。上記原稿押さえ部材が原稿載置台に対して閉じられている場合、すなわち開閉検知手段が原稿押さえ部材の閉姿勢を検知している場合には、制御手段は、基準部材に対して光量調整を行い、得られた光量調整値に基づいて画像読取手段の光源から光を照射して画像読取りを行う。一方、原稿押さえ部材が原稿載置台に対して開かれている場合には、原稿載置台の内部に外光が進入し、上記基準部材にも外光が影響する。したがって、原稿押さえ部材が原稿載置台に対して開かれている場合、すなわち開閉検知手段が原稿押さえ部材の開姿勢を検知している場合には、制御手段は、得られた光量調整値に拘わらず、所定の光量設定値を光量値として画像読取手段の光源から光を照射して画像読取りを行う。
【００１３】
また、本発明は、上記画像読取装置において、上記制御手段は、上記光量設定値として予め設定された所定の光量値を用いるものである。
【００１４】
このような光量設定値の設定は、例えば、画像読取装置の製造時や出荷時に行えばよい。また、光量設定値としては、原稿押さえ部材を閉じた際に行った光量調整により得られた光量調整値を用いることができる。
【００１５】
また、本発明は、上記画像読取装置において、上記制御手段は、上記開閉検知手段が上記原稿押さえ部材の閉姿勢を検知している際に上記基準部材に対して上記画像読取手段の光源の光量調整を行って得られた光量調整値を記憶し、該光量調整値を上記光量設定値とするものである。
【００１６】
このような光量設定値として、例えば、既に行った画像読取りにおいて得られた光量調整値や、原稿カバーが閉じられている際の電源投入時等に、画像読取手段による画像読取りと別途に光量調整を行って得られた光量調整値を用いることができる。
【００１７】
また、本発明は、上記画像読取装置において、上記開閉検知手段は、原稿載置台に進入する外光の有無を検知することにより、上記原稿押さえ部材の開閉を検知するものである。
【００１８】
このような外光の有無の検知は、画像読取手段を用いて行うことができるので、原稿押さえ部材の開閉を検知するためのセンサを別途設ける必要がなく、装置の小型化及び低コスト化が実現される。
【００１９】
また、本発明は、上記画像読取装置において、上記開閉検知手段は、上記画像読取手段が上記基準部材に対して光量調整を行って得られた光量調整値が所定範囲外である場合に、原稿押さえ部材が開姿勢と検知するものである。
【００２０】
原稿押さえ部材が原稿載置台に対して開かれている場合には、原稿載置台の内部に外光が進入し、上記基準部材にも外光が影響する。この基準部材に対して画像読取手段の光源の光量調整を行うと、得られた光量調整値は、原稿押さえ部材が閉じられている場合の光量調整値より小さくなる。したがって、得られた光量調整値が所定範囲外であれば、原稿載置台に外光が進入する程度に原稿押さえ部材が開いていると検知できる。また、所定範囲は、例えば、上記光量設定値に基づいて定めることができる。
【００２１】
また、本発明は、上記画像読取装置において、上記開閉検知手段は、上記画像読取手段が光源を消灯して上記基準部材を読み取った際の読取値が所定範囲外である場合に、原稿押さえ部材が開姿勢と検知するものである。
【００２２】
原稿押さえ部材が原稿載置台に対して開かれている場合には、原稿載置台の内部に外光が進入し、上記基準部材にも外光が影響する。この基準部材に対して光源を消灯して画像読取手段の明度基準を取得すると、すなわち黒レベル基準を取得すると、得られた読取値は、原稿押さえ部材が閉じられている場合の読取値より外光の分だけ大きくなる。したがって、得られた読取値が所定範囲外であれば、原稿載置台に外光が進入する程度に原稿押さえ部材が開いていると検知できる。また、所定範囲は、例えば、画像読取手段として用いるデバイスが出力する黒レベル基準信号に基づいて定めることができる。
【００２３】
また、本発明は、上記画像読取装置において、上記基準部材は、上記走査手段の移動方向に白色部分と黒色部分とが設けられたものであり、上記開閉検知手段は、上記画像読取手段が光源を消灯して上記基準部材の白色部分と黒色部分とをそれぞれ読み取った際の読取値の差が所定の閾値以上である場合に、原稿押さえ部材が開姿勢と検知するものである。
【００２４】
原稿押さえ部材が原稿載置台に対して開かれている場合には、原稿載置台の内部に外光が進入し、上記基準部材にも外光が影響する。この基準部材に対して光源を消灯して基準部材の白色部分と黒色部分とをそれぞれ読み取る。原稿押さえ部材が閉じられている場合には、これら読取値は同等であるが、外光が影響している場合には、外光の反射率の違いにより、これら読取値に差が生じる。したがって、得られた各読取値の差が所定の閾値以上であれば、原稿載置台に外光が進入する程度に原稿押さえ部材が開いていると検知できる。
【００２５】
また、本発明は、上記画像読取装置において、上記制御手段は、上記基準部材に対して上記画像読取手段の光源の光量調整を行って得られた光量調整値に基づいて、該基準部材に対して光源から光を照射して画像読取手段の明度基準を取得するものである。
【００２６】
原稿押さえ部材が原稿載置台に対して開かれている場合には、原稿載置台の内部に外光が進入し、上記基準部材にも外光が影響するが、光量調整と明度基準の取得とは同一の基準部材に対して行われるので、外光の影響も同等である。したがって、外光が影響した基準部材に対して行われた現実の光量調整値により、同一の基準部材に対して画像読取手段の明度基準を取得することにより、外光を考慮した適切な光量による明度基準が取得できる。
【００２７】
また、本発明は、上記画像読取装置において、上記基準部材は、上記透過部材と、該透過部材が上記原稿載置台の外面として露出された領域に配設されて該領域を区画する区画部材との間に介設されたものであり、好ましくは、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである。
【００２８】
これにより、上記透過部材が上記原稿載置台の外面として露出された領域以外に基準部材を配設するスペースを確保する必要がなく、原稿載置台を小型化することができる。
【００２９】
また、本発明は、上記画像読取装置において、上記押さえ部材に、給紙トレイに装填された原稿を上記搬送原稿読取領域へ搬送して排紙トレイへ排出する自動原稿搬送機構が設けられ、上記区画部材は、上記押さえ部材側の面に、読取前の原稿を搬送原稿読取領域へ案内するガイド面が形成されたものである。
【００３０】
上記区画部材にガイド面を設けることにより、搬送原稿読取領域への原稿の搬送を円滑ならしめるとともに、部材の共通化により装置の小型化及びコストダウンを図ることができる。また、このガイド面は、読取前の原稿を搬送原稿読取領域へ案内するものなので、ガイド面の最下部を上記透過部材の原稿載置面より凹ませる必要がない。したがって、透過部材を搬送原稿読取領域と静止原稿読取領域とに渡る１枚の部材で構成することができる。
【００３１】
また、本発明は、上記画像読取装置において、上記画像読取手段は、密着型イメージセンサである。密着型イメージセンサは、光源として発光ダイオード等の低照度の光源が採用される場合が多く、低照度の光源を用いると外光の影響を受けやすい。したがって、画像読取手段が密着型イメージセンサである場合に、前述した作用効果が一層顕著に現れる。
【発明の効果】
【００３２】
本発明に係る画像読取装置によれば、原稿押さえ部材が原稿載置台に対して閉じられている場合には、制御手段は、基準部材に対して光量調整を行い、得られた光量調整値に基づいて画像読取手段の光源から光を照射して画像読取りを行い、原稿押さえ部材が原稿載置台に対して開かれている場合には、制御手段は、所定の光量設定値を光量値として画像読取手段の光源から光を照射して画像読取りを行うこととしたので、原稿押さえ部材が開姿勢の場合に外光の影響を受けた光量調整値を用いることなく、画像読取手段による画像読取りを行うことができる。これにより、読取画像が暗くなったりぼやけたりする等の読取画像の劣化を防止できる。
【発明を実施するための最良の形態】
【００３３】
以下、適宜図面を参照して本発明の実施形態を説明する。なお、本実施の形態は本発明の一例にすぎず、本発明の要旨を変更しない範囲で、実施形態を適宜変更できることは言うまでもない。
【００３４】
図１は、本発明の実施の形態に係る複合機１の外観構成を示すものである。本複合機１は、スキャナ機能、プリンタ機能、ファクシミリ機能を一体的に備えた多機能装置（ＭＦＤ：Multi Function Device）である。複合機１の上部は、原稿の画像を読み取るためのスキャナ部２であり、複合機１の下部は、記録用紙に画像を記録するためのプリンタ部３である。本発明に係る画像読取装置は、複合機１のスキャナ部２として実現されており、プリンタ機能等は本発明において任意の機構であり、例えば、スキャナ機能のみのスキャナ単体として本発明に係る画像読取装置を実現してもよい。
【００３５】
以下、スキャナ部２の構成について詳述する。図２は、図１のＡ−Ａ断面図であり、ＡＤＦ５の主要構成を示すものである。
図１及び図２に示すように、スキャナ部２は、ＦＢＳ（Flatbed Scanner）として機能する原稿載置台４に対して、自動原稿搬送機構であるオート・ドキュメント・フィーダ（ＡＤＦ：Auto Document Feeder）５を備えた原稿押さえカバー６（原稿押さえ部材）が、背面側の蝶番を介して開閉自在に取り付けられてなる。原稿載置台４は、複合機１の筐体として構成されており、原稿押さえカバー６と対向する天面にプラテンガラス２０（透明部材）が配設されている。上記原稿押さえカバー６が開かれることにより、プラテンガラス２０が原稿載置台４の上面として露出され、原稿押さえカバー６が閉じられることにより、プラテンガラス２０を含めて原稿載置台４の上面全体が覆われる。また、該プラテンガラス２０に対向するようにして、原稿載置台４の内部に画像読取ユニット２１が内蔵されている。
【００３６】
原稿押さえカバー６には、給紙トレイ２２から所定の搬送路２６を経て排紙トレイ２３へ原稿を連続搬送するＡＤＦ５が備えられている。該ＡＤＦ５による搬送過程において、原稿がプラテンガラス２０上を通過し、該プラテンガラス２０の下方において画像読取ユニット２１が該原稿の画像を読み取るようになっている。このＡＤＦ５の構造の詳細については後述する。また、原稿押さえカバー６の下面には、プラテンガラス２０上に載置された原稿を押さえるために、スポンジ及び白板等からなる押さえ部材１９が配設されている。
【００３７】
原稿載置台４の正面側には、操作パネル７が設けられている。操作パネル７は各種操作ボタンや液晶表示部から構成されており、複合機１は、該操作パネル７からの指示によって動作するようになっている。また、複合機１は、操作パネル７による指示のほか、コンピュータに接続されて該コンピュータからプリンタドライバやスキャナドライバ等を介して送信される指示によっても動作する。
【００３８】
また、複合機１の正面の左上部には、記録媒体である各種小型メモリカードを装填可能なスロット部８が設けられている。該スロット部８に装填された小型メモリカードに記録された画像データを読み出してその画像データに関する情報を液晶表示部に表示させ、任意の画像をプリンタ部３により記録用紙に記録させるための入力を、上記操作パネル７から行うことができる。
【００３９】
図１及び図２に示すように、原稿押さえカバー６に、給紙トレイ２２及び排紙トレイ２３が上下二段に設けられている。給紙トレイ２２は、原稿押さえカバー６の上面と一体に形成されている。ＡＤＦ５により画像読取りを行う原稿は、複数枚が積層された状態で、給紙方向の先端をＡＤＦ５に挿入するようにして、給紙トレイ２２上に載置される。また、給紙トレイ２２には、複合機１の奥行き方向に隔てて一対の原稿ガイド２４が、奥行き方向へスライド移動可能に設けられている。該原稿ガイド２４は、給紙トレイ２２から起立して、給紙トレイ２２に載置される原稿の幅方向の両端を案内するものであり、周知の連動機構により、一対のいずれか一方の原稿ガイド２４をスライド移動させると、他方の原稿ガイド２４も相反する方向へスライド移動する。
【００４０】
すなわち、原稿幅が狭い場合には、複合機１の正面側の一方の原稿ガイド２４を背面側へスライド移動させると、これに連動して、背面側の他方の原稿ガイド２４は正面側へスライド移動する。これにより、奥行き方向の略中央を中心として、一対の原稿ガイド２４により案内される原稿幅を狭くすることができる。逆に、原稿幅が広い場合には、複合機１の正面側の一方の原稿ガイド２４を正面側へスライド移動させると、これに連動して、背面側の他方の原稿ガイド２４は背面側へスライド移動して、一対の原稿ガイド２４により案内される原稿幅を広くすることができる。
【００４１】
上記一対の原稿ガイド２４には、給紙トレイ２２と上下方向に隔てて排紙トレイ２３が一体的に形成されている。ＡＤＦ５から排紙された原稿は、その両側を排紙トレイ２３に担持されて、給紙トレイ２２上の原稿と分離した状態で保持される。排紙トレイ２３は、排紙方向の長さが原稿の長さより短いので、原稿の排紙方向先端側は、排紙トレイ２３から垂れ下がるようにして、給紙トレイ２２上に保持される。したがって、給紙トレイ２２上の原稿の給紙方向後端部分の上に、排紙トレイ２３上の原稿の排紙方向先端部分が重なるが、給紙トレイ２２上の原稿の給紙方向先端部分と、排紙トレイ２３上の原稿の排紙方向後端部分とは、排紙トレイ２３により上下二段に保持されているので、これら原稿が混同することはない。また、排紙トレイ２３を短くすることにより、原稿押さえカバー６上に必要な空間を小さくして、複合機１を薄型且つ小型にすることができる。
【００４２】
また、給紙トレイ２２のＡＤＦ５が設けられていない側の端部には、給紙トレイ２２の上面から起立する起立姿勢と、給紙トレイ２２の上面と一体に倒伏する倒伏姿勢とに姿勢変化する原稿ストッパ２５が設けられている。図に示すように、原稿ストッパ２５を起立姿勢とすることにより、例えば、給紙トレイ２２と同程度の大きさの原稿がＡＤＦ５から排出された際に、該原稿が原稿ストッパ２５により制止され、給紙トレイ２２から滑り落ちることが防止される。このように、排出された原稿を原稿ストッパ２５で受け止めることにより、給紙トレイ２２の面積を小さくすることができ、給紙トレイ２２が一体的に形成された原稿押さえカバー６を小型化できる。また、原稿ストッパ２５が不要な場合には、倒伏姿勢とすることにより、原稿押さえカバー６から突出せず、梱包時や保管時の複合機１のサイズをコンパクトにできる。
【００４３】
図２に示すように、ＡＤＦ５の内部には、上記給紙トレイ２２と排紙トレイ２３とを連結するようにして、搬送路２６が横向き略Ｕ字形状に形成されている。搬送路２６は、原稿押さえカバー６に一体に形成されたＡＤＦ本体２７と、該ＡＤＦ本体２７に開閉自在に設けられたＡＤＦカバー２８とによって構成されている。図に示すように、ＡＤＦ５の吸入シュート部２９は、上記給紙トレイ２２が延長されるようにして、ＡＤＦ本体２７に形成された水平面と、ＡＤＦカバー２８の内側に配設された区画板３０によって、上下に所定幅の通路として構成されている。搬送路２６は、該吸入シュート部２９から、湾曲部３７を経て、排紙シュート部３８へ横向き略Ｕ字形状に形成されており、湾曲部３７及び排紙シュート部３８も、ＡＤＦ本体２７、ＡＤＦカバー２８、及び区画板３０等により、所定幅の通路として連続的に形成されている。
【００４４】
上記搬送路２６には、原稿を搬送するための搬送手段が配設されている。詳細には、図に示すように、吸入ローラ３１とこれに圧接する吸入ニップ片３２、分離ローラ３３とこれに圧接する分離ニップ片３４、及び搬送ローラ３５とこれに圧接するピンチローラ３６によって搬送手段が構成されている。なお、搬送手段を構成する各ローラやニップ片の構成は一例であり、ローラの数や配置を変更したり、各ニップ片に代えてピンチローラを用いる等、その他の公知の搬送手段に変更できることは勿論である。
【００４５】
図に示すように、吸入ローラ３１は、吸入シュート部２９の略中央に、そのローラ面の一部をＡＤＦ本体２７に形成された水平面の上面から露出するようにして回転可能に設けられている。また、分離ローラ３３は、該吸入ローラ３１から給紙方向へ隔てた位置に、同様に、そのローラ面の一部をＡＤＦ本体２７に形成された水平面の上面から露出するようにして回転可能に設けられている。これら吸入ローラ３１及び分離ローラ３３には搬送モータ６２（図７参照）からの駆動力が伝達されて、回転駆動されるようになっている。また、吸入ローラ３１及び分離ローラ３３は同径であり、同じ周速度で回転される。また、吸入ローラ３１への駆動伝達においては１周クラッチが介設されており、吸入ローラ３１は１周分の空転が可能となっている。
【００４６】
吸入ニップ片３２は、上記区画板３０の吸入ローラ３１の対向位置に、吸入ローラ３１と接離する方向へ揺動可能に設けられている。また、該吸入ニップ片３２は、不図示のバネ部材により下方へ弾性付勢されており、原稿をニップしない状態で吸入ローラ３１のローラ面に圧接されている。同様に、分離ニップ片３４は、上記区画板３０の分離ローラ３３の対向位置に、分離ローラ３３と接離する方向へ揺動可能に設けられており、不図示のバネ部材により下方へ弾性付勢されて、原稿をニップしない状態で分離ローラ３３のローラ面に圧接されている。これら吸入ニップ片３２及び分離ニップ片３４により原稿がニップされることにより、該原稿が吸入ローラ３１及び分離ローラ３３に圧接されて、吸入ローラ３１及び分離ローラ３３の回転力が原稿に伝達される。
【００４７】
搬送ローラ３５は、搬送路２６の横向き略Ｕ字形状の湾曲部３７に配設されている。該搬送ローラ３５は、そのローラ面が湾曲部３７の一部をなす程度の外径のものである。該搬送ローラ３５は、上記吸入ローラ３１及び分離ローラ３３と同様に、搬送モータ６２からの駆動力が伝達されて、回転駆動されるようになっている。
【００４８】
搬送ローラ３５の周囲には、ピンチローラ３６が３箇所に設けられている。各ピンチローラ３６は、その軸がバネ片に弾性付勢されてＡＤＦ本体２７又はＡＤＦカバー２８に回転自在に支持されて、搬送ローラ３５のローラ面に圧接している。そして、搬送ローラ３５が回転すれば、これに従動してピンチローラ３６も回転する。これらピンチローラ３６により、原稿が搬送ローラ３５に圧接されて、搬送ローラ３５の回転力が原稿に伝達される。
【００４９】
搬送ローラ３５の原稿搬送方向下流側には、排紙シュート部３８が形成されている。排紙シュート部３８は、ＡＤＦカバー２８の内面と搬送ローラ３５とで構成された搬送路２６の湾曲部３７と連続するようにして、ＡＤＦカバー２８と区画板３０との間に形成されている。したがって、給紙トレイ２２から搬送路２６へ供給された原稿は、吸入シュート部２９、湾曲部３７、排紙シュート部３８を順次経て、排紙トレイ２３に排出される。
【００５０】
ＡＤＦカバー２８は、吸入ローラ３１より給紙トレイ２２側を回動軸として、上方へ回動自在に設けられている。ＡＤＦカバー２８を開くことにより、吸入シュート部２９及び湾曲部３７が開放されるとともに、吸入ローラ３１及び分離ローラ３３と、吸入ニップ片３２及び分離ニップ片３４とが離間される。したがって、ＡＤＦカバー２８を開くことにより、搬送路２６において発生した紙詰まりを解消したり、ＡＤＦ５の内部のメンテナンスを行うことができる。
【００５１】
図２及び図３に示すように、原稿載置台４の上面にはプラテンガラス２０が配設されている。該プラテンガラス２０は、スキャナ部２をＦＢＳとして使用する場合に原稿を載置するものであり、１枚の透明なガラス板である。原稿載置台４の筐体３９は、その上面中央にプラテンガラス２０を露出するための開口が形成されている。プラテンガラス２０は、該開口より十分に大きなものであり、プラテンガラス２０のうち開口から露出された領域が原稿読取領域となる。
【００５２】
上記筐体３９内には、すなわちプラテンガラス２０の原稿載置面と反対側には画像読取ユニット２１が配設されている。筐体３９は合成樹脂製のものであり、画像読取ユニット２１が配設される部分と操作パネル７の基板等が配設される部分とを区画する区画板や、プラテンガラス２０を支持するための支持リブ、各種部材をネジ止めするためのボス部、電気配線等のための貫通孔等が設けられているが、これらは原稿載置台４の実施態様に応じて適宜設計されるものなので、詳細な説明は省略する。
【００５３】
画像読取ユニット２１は、図２に示すように、ＣＩＳユニット４０（画像読取手段）、キャリッジ４１（走査手段）、及び不図示の走査機構から構成されている。ＣＩＳユニット４０は、光源４２からプラテンガラス２０を通じて原稿に光を照射し、該原稿からの反射光をレンズ４３により受光素子４４に集光して電気信号に変換するいわゆる密着型のイメージセンサである。受光素子４４は、例えばチップ単位で搬送ローラ３５の軸方向、すなわち原稿の幅方向に一列に並べられており、光源４２及びレンズ４３も同方向に列設されている。また、光源４２には、レッド（Ｒ）・グリーン（Ｇ）・ブルー（Ｂ）に色分解された３色の発光ダイオード（ＬＥＤ）が用いられている。
【００５４】
図４に示すように、上記ＣＩＳユニット４０はキャリッジ４１に搭載されてプラテンガラス２０に密接されており、キャリッジ４１は、走査機構であるベルト駆動機構によりプラテンガラス２０の下方を走査可能に設けられている。キャリッジ４１は、原稿載置台４の筐体３９の幅方向に渡って架設されたガイドシャフト４５と嵌合して、不図示のベルト駆動機構により駆動されてガイドシャフト４５上を摺動して移動するものであり、該キャリッジ４１が上記ＣＩＳユニット４０をプラテンガラス２０に密着させるように搭載してガイドシャフト４５上を移動することにより、ＣＩＳユニット４０がプラテンガラス２０に沿って走査される。
【００５５】
図に示すように、キャリッジ４１は、その上側に担持するようにして上記ＣＩＳユニット４０を搭載しており、キャリッジ４１の下面には、ガイドシャフト４５を上方から跨ぐようにして嵌合するシャフト受け部４６が形成されている。該シャフト受け部４６とガイドシャフト４５とが嵌合して、キャリッジ４１がガイドシャフト４５に担持されてガイドシャフト４５の軸方向に摺動自在となっている。また、シャフト受け部４６の側方には、ベルト掴持部４７が下方へ突設されている。該ベルト掴持部４７は、ベルト駆動機構のタイミングベルトを掴むことにより、該タイミングベルトとキャリッジ４１とを連結するためのものである。これにより、ベルト駆動機構からキャリッジ４１に駆動力が伝達されて、ガイドシャフト４５上をキャリッジ４１が移動するものとなる。なお、ベルト駆動機構は、例えば、駆動プーリと従動プーリとの間にタイミングベルトが巻架され、モータの回転が駆動プーリの軸に出力され、該駆動プーリの回転によりタイミングベルトが周運動するように構成されている。
【００５６】
また、上記ＣＩＳユニット４０が搭載されるキャリッジ４１の内側には、バネ受け部４８が左右２箇所に形成されており、該バネ受け部４８により位置決めされて、ＣＩＳユニット４０とキャリッジ４１との間にコイルバネ４９が介設されている。このコイルバネ４９により、キャリッジ４１に搭載されたＣＩＳユニット４０がプラテンガラス２０の下面に押し付けられるように密着している。ＣＩＳユニット４０の両端側には、コロ５０が設けられており、該コロ５０により、プラテンガラス２０の下面に押し付けられたＣＩＳユニット４０が、キャリッジ４１の移動に伴いプラテンガラス２０の下面に密着しながら円滑に移動するようになっている。
【００５７】
図３に示すように、上記プラテンガラス２０の上面には、プラテンガラス２０が原稿載置台４の上面として露出された領域を区画する区画部材５１が配設されている。区画部材５１は、原稿載置台４の奥行き方向、換言すれば画像読取ユニット２１の延設方向に長尺の平板状の部材であり、図に示すように、プラテンガラス２０を左右２つの領域に区画している。図２に示したように、プラテンガラス２０の一端側（図左側）は、上記搬送ローラ３５の下方にまで至っており、ＡＤＦ５を用いて画像読取りを行う際の読取面を構成している。
【００５８】
一方、プラテンガラス２０の他端側は、スキャナ部２をＦＢＳとして使用する場合の原稿載置面をなしている。そして、上記区画部材５１は、ＡＤＦ５における読取面である搬送原稿読取領域２０Ｌと、ＦＢＳにおける原稿載置面である静止原稿読取領域２０Ｒとにプラテンガラス２０を左右に区画している。また、区画部材５１は、静止原稿読取領域２０Ｒに原稿を載置する際に、原稿の位置決め基準として用いられる。したがって、原稿は、区画部材５１に記した中央位置を基準として静止原稿読取領域２０Ｒに載置され、区画部材５１には、中央位置やＡ４サイズ、Ｂ５サイズ等の各種原稿サイズの両端位置を示す表示が記されている。
【００５９】
また、図５に示すように、上記区画部材５１は、原稿押さえカバー６と対向する面にガイド面５２が形成されている。ガイド面５２は、区画部材５１の搬送ローラ３５と対向する面を、プラテンガラス２０の搬送原稿読取領域２０Ｌへ向かって厚みが薄くなるように傾斜させたものであり、このガイド面５２により、給紙トレイ２２から搬送路２６へ搬送される原稿の先端が搬送原稿読取領域２０Ｌへ案内される。これにより、搬送原稿読取領域２０Ｌへの原稿の搬送を円滑ならしめるとともに、区画部材５１と別途にガイド部材を設ける必要がなく、部材の共通化によりスキャナ部２の小型化及びコストダウンを実現することができる。
【００６０】
また、上記ガイド面５２は、読取前の原稿を搬送原稿読取領域２０Ｌへ案内するものなので、ガイド面５２の最下部をプラテンガラス２０の表面より凹ませる必要がない。つまり、搬送原稿読取領域２０Ｌの下流側に形成されたガイド面３９Ａは、読取後の原稿を搬送原稿読取領域２０Ｌからすくい上げるように案内するものなので、仮に、ガイド面３９Ａの最下端がプラテンガラス２０の表面より突出していれば、読取後の原稿の先端がガイド面３９Ａの最下端に当接してジャム等の原因となり得る。したがって、ガイド面３９Ａの最下端はプラテンガラス２０の表面より凹ませておくことが好適である。
【００６１】
これに対し、仮に、区画部材５１のガイド面５２の最下端がプラテンガラス２０より突出していたとしても、原稿が区画部材５１に当接してジャムが生ずるおそれはない。したがって、プラテンガラス２０を搬送原稿読取領域２０Ｌと静止原稿読取領域２０Ｒとに分割して、区画部材５１のガイド面５２の最下端をプラテンガラス２０より凹ませる必要がなく、これら領域を１枚のプラテンガラス２０で構成し、区画部材５１をプラテンガラス２０の上面に配設することができる。これにより、プラテンガラス２０及び区画部材５１の構成が簡易になるとともに、スキャナ部２の組立てが容易となる。
【００６２】
図５に示すように、上記区画部材５１の下面側には、プラテンガラス２０との間に介在するように基準部材５３が設けられている。この基準部材５３は、ＣＩＳユニット４０の明度基準となるものである。詳細には、基準部材５３は、区画部材５１の下面のほぼ全域を覆う薄膜帯状の部材であり、図６に示すように、ＣＩＳユニット４０の副走査方向、すなわち図の左右方向に３つの領域を有する。左端側の領域５３Ａは白色に着色された領域であり、ＣＩＳユニット４０の光量調整や白レベルデータの取得に用いられる。中央の領域５３Ｂは黒色に着色された領域であり、ＣＩＳユニット４０の黒レベルデータの取得に用いられる。また、左端の領域５３Ａと中央の領域５３Ｂの境界が、ＣＩＳユニット４０の副走査方向の基準となる。右端の領域５３Ｃは奥行き方向の中央が白色に着色され、且つ両端が黒色に着色された領域であり、ＣＩＳユニット４０の主走査方向の基準となる。このような基準部材５３が、各領域がＣＩＳユニット４０の延設方向と同方向となるようにして、区画部材５１とプラテンガラス２０との間に介設されている。
【００６３】
このように、区画部材５１の下面に基準部材５３を介設することにより、例えば、原稿載置台４の左側の走査端等に基準部材５３を設けるスペースを確保する必要がなく、原稿載置台４を小型化することができる。特に、原稿載置台４の幅方向であって搬送原稿読取領域２０Ｌが設けられた側、すなわち図３における原稿載置台４の左側を省スペース化することにより、ＡＤＦ５の搬送ローラ３５を可能な限り原稿押さえカバー６の幅方向端部に配置することができ、スキャナ部２の幅方向の寸法を小さくすることができる。また、区画部材５１と基準部材５３とを略同幅とすることにより、区画部材５１の幅が小さくなるので、原稿載置台４の上面に露出されるプラテンガラス２０の領域を小さくすることができる。これにより、原稿載置台４の上面の面積を小さくして、スキャナ部２を小型化することができる。
【００６４】
図７は、複合機１の制御部５５の構成を示している。該制御部５５は、スキャナ部２のみでなくプリンタ部３も含む複合機１の全体動作を制御するものである。しかしながら、本実施の形態においてはプリンタ部３の構成要素は詳述する必要がないので、図においてはプリンタ部３の構成要素は省略されている。制御部５５は、図に示すように、ＣＰＵ５６、ＲＯＭ５７、ＲＡＭ５８、ＥＥＰＲＯＭ（Electrically Erasable and Programmable ROM）５９を主とするマイクロコンピュータとして構成されており、バス６０を介してＡＳＩＣ（Application Specific Integrated Circuit）６１に接続されている。
【００６５】
ＲＯＭ５７には、複合機１の各種動作を制御するためのプログラム等が格納されている。ＲＡＭ５８は、ＣＰＵ５６が上記プログラムを実行する際に用いる各種データを一時的に記録する記憶領域又は作業領域として使用される。例えば、ＣＩＳユニット４０の光源４２の光量調整値や、基準部材５３に対して取得した白レベルデータ及び黒レベルデータがＲＡＭ５８に記憶される。また、ＥＥＰＲＯＭ５９は、電源オフ後も記録を保持すべき各種設定やフラグ等を格納する記憶領域であり、例えば、ＣＩＳユニット４０の光量設定値が記憶される。光量設定値は、ＣＩＳユニット４０が原稿押さえカバー６を閉じた状態で基準部材５３に対して後述する光量調整を行った場合に得られるであろう光量調整値であって、複合機１の製造時や工場出荷の際に予め入力設定されたものである。
【００６６】
ＡＳＩＣ６１は、ＣＰＵ５６からの指令に従い、搬送（ＬＦ）モータ６２に通電する相励磁信号等を生成して、該信号を搬送モータ６２の駆動回路６３に付与し、該駆動回路６３を介して駆動信号を搬送モータ６２に通電することにより、搬送モータ６２の回転制御を行っている。
【００６７】
駆動回路６３は、上記吸入ローラ３１、分離ローラ３３及び搬送ローラ３５に接続された搬送モータ６２を駆動させるものであり、ＡＳＩＣ６１からの出力信号を受けて、搬送モータ６２を回転するための電気信号を形成する。該電気信号を受けて搬送モータ６２が回転し、該搬送モータ６２の回転力がギアや駆動軸等からなる周知の駆動機構を介して、分離ローラ３３及び搬送ローラ３５へ伝達される。
【００６８】
同様に、ＡＳＩＣ６１は、ＣＰＵ５６からの指令に従い、キャリッジ（ＣＲ）モータ６４に通電する相励磁信号等を生成して、該信号をキャリッジモータ６４の駆動回路６５に付与し、該駆動回路６５を介して駆動信号をキャリッジモータ６４に通電することにより、キャリッジモータ６４の回転制御を行っている。
【００６９】
駆動回路６５は、上記キャリッジ４１に接続されたベルト駆動機構のキャリッジモータ６４を駆動させるものであり、ＡＳＩＣ６１からの出力信号を受けて、キャリッジモータ６４を回転するための電気信号を形成する。該電気信号を受けてキャリッジモータ６４が回転し、該キャリッジモータの回転力が周知のベルト駆動機構を介して、キャリッジ４１へ伝達されことによりキャリッジ４１が走査される。
【００７０】
また、ＡＳＩＣ６１には、搬送路２６において原稿を検出するためのリードセンサ６６や、分離ローラ３３及び搬送ローラ３５の回転量を検出するためにこれらに設けられたロータリエンコーダ６７、キャリッジ４１の移動量を検出するためのリニアエンコーダ６８が接続されている。
【００７１】
また、ＡＳＩＣ６１には、搬送路２６を搬送される原稿の画像読取りを行うＣＩＳユニット４０が接続されている。そして、ＲＯＭ５７に格納された制御プログラムに基づいて、光量調整や白レベルデータ及び黒レベルデータの取得、画像読取りが行われる。また、本実施の形態では、ＣＩＳユニット４０は、原稿押さえカバー６の開閉を検知する開閉検知手段としても機能する。詳細に説明するに、原稿押さえカバー６を開くことにより、原稿載置台４の上面のプラテンガラス２０が露出され、該プラテンガラス２０を通じて原稿載置台４の内部に外光が進入する。一方、原稿押さえカバー６を閉じれば、プラテンガラス２０は原稿押さえカバー６に覆われるので、外光が遮断され原稿載置台４の内部に進入しない。
【００７２】
ＣＩＳユニット４０は、原稿載置台４の内部に配設されているので、後述するように、ＣＩＳユニット４０が基準部材５３に対して光量調整を行う際に、得られた光量調整値が所定範囲内であるか否かに基づいて原稿押さえカバー６の開閉を判断することができる。すなわち、外光が進入していれば、その外光量だけＣＩＳユニット４０の光源４２の光量は少なくても一定の出力が得られるので光量調整値は小さくなる。したがって、光量調整値が所定範囲より小さければ、原稿押さえカバー６が開いていると判断することができる。このような開閉検知手段は、上記ＣＰＵ５６、ＲＯＭ５７、ＲＡＭ５８、ＥＥＰＲＯＭ５９、及びＣＩＳユニット４０から構成される。また、所定範囲は、ＥＥＰＲＯＭ５９に記憶された光量設定値に所定の係数を乗じた値に基づいて設定される。
【００７３】
このように、ＣＩＳユニット４０による外光の検知に基づいて原稿押さえカバー６の開閉を判断させることにより、原稿押さえカバー６の開閉を検知するためのセンサを別途設ける必要がなく、スキャナ部２の小型化及び低コスト化が実現される。なお、ＣＩＳユニット４０を複合機１の電源がオンとされている間において常時動作させて外光の有無を検出するようにしてもよい。この場合は、ＣＩＳユニット４０が外光を検出した場合、すなわちＣＩＳユニット４０の出力が所定範囲外であれば原稿押さえカバー６が開姿勢であり、該出力が所定範囲内であれば原稿押さえカバー６が閉姿勢と判断することができる。また、所定範囲は、例えばＣＩＳユニット４０が出力する黒レベル基準信号に基づいて設定される。
【００７４】
さらに、ＡＳＩＣ６１には、複合機１の操作指示を行うための操作パネル７、各種小型メモリカードが挿入されるスロット部８、パソコン等の外部機器とパラレルケーブルやＵＳＢケーブルを介してデータの送受信を行うためのパラレルインタフェース６９及びＵＳＢインタフェース７０、ファクシミリ機能を実現するためのＮＣＵ（Network Control Unit）７１やＭＯＤＥＭ７２も接続されている。
【００７５】
以下、スキャナ部２の動作について説明する。
スキャナ部２をＦＢＳとして使用する場合には、原稿押さえカバー６を開いてプラテンガラス２０の静止原稿読取領域２０Ｒに原稿Ｇを載置する。そして、原稿押さえカバー６を閉じて、該原稿Ｇをプラテンガラス２０上に固定する。その後、操作パネル７のスタートボタンを押すことにより、制御部５５が、キャリッジ４１をプラテンガラス２０に沿って移動させ、その移動の間にＣＩＳユニット４０によりプラテンガラス２０の静止原稿読取領域２０Ｒに載置された原稿Ｇの画像を読み取る。
【００７６】
一方、ＡＤＦ５を使用する場合には、原稿押さえカバー６を原稿載置台４に対して閉じた状態とする。そして、給紙トレイ２２に読み取るべき原稿Ｇを載置する。該原稿Ｇは１枚であっても複数枚であってもよい。例えば、同じサイズの複数枚の原稿Ｇの画像読取りを行う場合には、各原稿Ｇを重ねて揃え、その一端を給紙トレイ２２から吸入シュート部２９に挿入する。
【００７７】
そして、操作パネル７のスタートボタンを押せば、制御部５５が、モータを駆動して、吸入ローラ３１、分離ローラ３３、搬送ローラ３５を所定のタイミングで回転駆動する。そして、吸入ローラ３１及び分離ローラ３３の回転力を直接受ける最下位置の原稿Ｇから１枚ずつ分離されて搬送路２６へ送り込まれる。給送された原稿Ｇは、搬送路２６に案内されて搬送原稿読取領域２０Ｌへ搬送され、該搬送原稿読取領域２０Ｌの下方で静止されたＣＩＳユニット４０により原稿Ｇの画像読取りが行われる。そして、画像読取りを終えた原稿Ｇは、排紙シュート部３８から排紙トレイ２３へ排出される。
【００７８】
このようなスキャナ部２による画像読取りにおいて、ＣＩＳユニット４０が原稿Ｇの画像読取りを開始する前に、ＣＩＳユニット４０の出力調整として、光源４２の光量調整、並びに白レベルデータ及び黒レベルデータの取得が行われる。
【００７９】
図５から図１０を用いて詳細に説明するに、先ず制御部５５は、キャリッジ４１を基準位置ＲＰに移動させる。この基準位置ＲＰは、基準部材５３の左端の領域５３Ａと中央の領域５３Ｂの境界であり、ＣＩＳユニット４０の出力が白色と黒色とで変化することにより判断できる。そして、画像読取りに先立ってキャリッジ４１を基準部材５３の下方、すなわち図５におけるホームポジションＨＰに移動させる。このホームポジションＨＰは、基準部材５３の左端の領域５３Ａに対応する位置である。このように、基準部材５３と同じ位置をホ−ムポジションＨＰとしてＣＩＳユニット４０の待機位置とすることにより、基準部材５３に対して光量調整を行うまでに、キャリッジ４１を移動させる距離が短くなり、画像読取動作を高速化することができる。
【００８０】
そして、制御部５５は、ＣＩＳユニット４０の光源４２の光量調整を基準部材５３に対して行う（Ｓ１）。詳細には、最初に十分に小さい光量で光源４２から基準部材５３の領域５３Ａに光を照射する。この場合、領域５３Ａからの反射光も小さくなるので、ＣＩＳユニット４０の受光素子４４からの出力も小さい。そして、受光素子４４の出力が所望の値となるまで段階的に光源４２の光量を増加し、図９（ａ）に示すように、ＣＩＳユニット４０の出力が所望の値Ｓとなったときの光量を光量調整値としてＲＡＭ５８に記憶する（Ｓ２）。
【００８１】
続いて、制御部５５は、基準部材５３に対してＣＩＳユニット４０の白レベルデータ及び黒レベルデータを取得する（Ｓ３，Ｓ４）。詳細に説明するに、制御部５５は、キャリッジ４１を基準部材５３の左端の領域５３Ａに対応する位置において、ＣＩＳユニット４０の光源４２から、上記光量調整値で領域５３Ａに光を照射する。そして、該領域５３Ａからの反射光を受光素子４４で電気信号に変換して白レベルデータを取得する（Ｓ３）。この白レベルデータの取得は、領域５３Ａに対して複数回行って、その平均を用いるようにしても、また、領域５３Ａの範囲内でキャリッジ４１を移動させながら行うようにしてもよい。
【００８２】
白レベルデータを取得した後、制御部５５は、キャリッジモータ６４を駆動させてキャリッジ４１を基準部材５３の中央の領域５３Ｂに対応する位置へ移動させる。そして、光源４２を消灯した状態で得られた受光素子４４の電気信号から黒レベルデータを取得する（Ｓ４）。この黒レベルデータの取得も、前述と同様に複数回行っても、領域５３Ｂの範囲内でキャリッジ４１を移動させながら行ってもよい。また、白レベルデータの取得と黒レベルデータの取得とは順序が逆であってもよい。このようにして得られた白レベルデータ及び黒レベルデータは、画像読取りにおけるシェーディング補正の基準データとして用いるために、ＲＡＭ５８に記憶させる（Ｓ５）。
【００８３】
続いて、得られた光量調整値が所定範囲内か否かを判断する（Ｓ６）。この所定範囲は、ＥＥＰＲＯＭ５９に格納された光量設定値に基づいて定められる。具体的には、複合機１の出荷時にＥＥＰＲＯＭ５９に入力された光量設定値に例えば０．８等の所定の係数を乗じて定める。光量設定値は、原稿押さえカバー６が閉じられて光量調整を行った場合に得られるであろう光量調整値であって、予めＥＥＰＲＯＭ５９に入力設定されたものである。
【００８４】
図５に示すように、原稿押さえカバー６が閉姿勢であれば、搬送原稿読取領域２０Ｌは搬送ローラ３５等に覆われており、また、プラテンガラス２０の全域が原稿押さえカバー６に覆われているので、基準部材５３付近へ外光Ｌが進入することがない。したがって、図９（ａ）に示すように、ＣＩＳユニット４０の出力が所定の出力Ｓとなるように基準部材５３に対して光量調整を行えば、光量設定値とほぼ同じ値が光量調整値として得られる。したがって、光源４２や受光素子４４の安定性等から若干のばらつきがあるとしても、光量設定値から一定の範囲内の光量調整値が得られる。したがって、得られた光量調整値が光量設定値に対して所定範囲内であれば、制御部５５は、原稿押さえカバー６が閉姿勢と判断する。
【００８５】
一方、スキャナ部２をＦＢＳとして用いる場合に、ブック原稿等の厚みのある原稿等をプラテンガラス２０に載置すれば、原稿押さえカバー６を完全に閉じることができない。また、プラテンガラス２０の静止原稿読取領域２０Ｒよりも大きなサイズの原稿の一部を読み取る場合等には、読取箇所を確認するために原稿押さえカバー６を敢えて閉じずに画像読取りを行うことも想定される。図１０に示すように、原稿押さえカバー６が開姿勢であれば、搬送原稿読取領域２０Ｌは露出された状態なので、搬送原稿読取領域２０Ｌから外光Ｌが原稿載置台４の内部へ進入する。
【００８６】
この外光Ｌは、原稿載置台４の内部の部材に反射したり、プラテンガラス２０の厚み内を反射しながら、基準部材５３に入射したり、ホームポジションＨＰにあるＣＩＳユニット４０に入射する。特に、ＣＩＳユニット４０は、図２に示したように、受光素子４４が上側を向いて配設されているので、ＣＩＳユニット４０の上面から内部へ進入した外光Ｌが受光素子４４の出力に影響しやすい。したがって、外光Ｌが進入した状態で基準部材５３に対して光量調整を行えば、図９（ｂ）に示すように、光源４２から照射される光量が、その外光Ｌの光量分だけ小さな光量であっても、受光素子４４は反射光量と外光Ｌとの和の光量を受光するので、所定の出力Ｓが得られる。その結果、光源４２は、図に斜線で示した外光Ｌの分だけ小さな出力Ｓ１となるような光量調整値とされる。よって、仮に係数を０．８とすれば、出力Ｓ１となる光量調整値が光量設置値の８割未満であれば、制御部５５は、原稿押さえカバー６が開姿勢と判断する。
【００８７】
続いて、制御部５５は、キャリッジ４１を静止原稿読取領域２０Ｒにおける読取開始位置である位置Ｐ１へ移動させる。そして、制御部５５は、原稿押さえカバー６が閉姿勢と判断した場合には、基準部材５３に対して得られた光量調整値で光源４２から光を照射しながらキャリッジ４１をプラテンガラス２０に沿って移動させ、原稿Ｇからの反射光を受光素子４４で電気信号に変換して画像読取りを行う（Ｓ７）。原稿押さえカバー６が閉じられている場合には、前述した光源４２の光量調整（Ｓ１）において外光Ｌの影響を受けないので、適正な光量調整値が得られる。したがって、その光量調整値で光源４２から原稿Ｇに光を照射することにより、基準部材５３の領域５３Ａの白色と領域５３Ｂの黒色とに対して得られたＣＩＳユニット４０の出力と同等の出力が、原稿Ｇの白色部分と黒色部分とから得られる。
【００８８】
一方、制御部５５は、原稿押さえカバー６が開姿勢と判断した場合には、ＥＥＰＲＯＭ５９に格納された光量設定値で光源４２から光を照射しながらキャリッジ４１をプラテンガラス２０に沿って移動させ、原稿Ｇからの反射光を受光素子４４で電気信号に変換して画像読取りを行う（Ｓ８）。原稿押さえカバー６が開かれている場合には、前述した光源４２の光量調整（Ｓ１）において外光Ｌの影響を受ける。これに対し、図１０に示すように、静止原稿読取領域２０Ｒの読取開始位置Ｐ１は、搬送原稿読取領域２０Ｌから十分に離れているので、外光Ｌの影響を受け難い。したがって、基準部材５３に対して得られた光量調整値、すなわち図９（ｂ）に示した出力Ｓ１となる光量調整値で光源４２から原稿Ｇに対して光を照射すると、外光Ｌがない分だけ受光素子４４が受光する光量が不足する。
【００８９】
仮に、出力Ｓ１となる光量調整値で光源４２から原稿Ｇに光を照射すれば、基準部材５３の領域５３Ａの白色と領域５３Ｂの黒色とに対して得られたＣＩＳユニット４０の出力より小さな出力が、原稿Ｇの白色部分と黒色部分とから得られるので、読取画像は全体的に暗くなる。よって、外光の影響を受けた上記光量調整値を用いずに、ＥＥＰＲＯＭ５９に記憶された光量設定値を用いて光源４２から光を照射することにより、原稿押さえカバー６が開いていても、原稿押さえカバー６が閉じられている場合に得られる光量で光源４２から光を照射することができる。
【００９０】
続いて、制御部５５は、キャリッジ４１の移動の間にＣＩＳユニット４０から順次出力されるデータに対してシェーディング補正を行う（Ｓ９）。詳細には、ＣＩＳユニット４０の出力信号をアナログ／デジタル変換し、ＲＡＭ５８に記憶された基準データに基づいてシェーディング補正を行う。この基準データは、原稿押さえカバー６の開閉に拘わらず、それぞれの状態で得られた光量調整値で光源４２から基準部材５３の領域５３Ａに光を照射して得られた白レベルデータと、光源４２を消灯して領域５３Ｂに対して得られた黒レベルデータである。
【００９１】
原稿押さえカバー６が閉じられている場合には、基準部材５３に対する光量調整で得られた光量調整値は外光Ｌの影響を受けていないものである。そして、基準部材５３に対する白レベルデータ及び黒レベルデータの取得、並びに原稿Ｇの画像読取りも外光Ｌの影響を受けない状態で行われるので、これら動作のすべてにおいて得られた光量調整値を用いればよい。
【００９２】
これに対し、原稿押さえカバー６が開かれている場合には、基準部材５３に対する光量調整で得られた光量調整値は外光Ｌの影響を受けている。しかし、白レベルデータ及び黒レベルデータの取得は、外光Ｌの影響を受けた同一の基準部材５３に対して行うので、仮に、光量設定値を用いて白レベルデータ及び黒レベルデータを取得すると、図９（ｃ）に示すように、基準部材５３の領域５３Ａに対して本来得るべき所望の出力Ｓに、図に斜線で示した外光Ｌに相当する出力が加わって、出力Ｓより大きな出力Ｓ２の白レベルデータが取得されることとなる。
【００９３】
一方、原稿Ｇの画像読取りにおいては、前述したように外光Ｌの影響を受け難いので、原稿Ｇの白色部分からは、上記出力Ｓと同等の出力が得られる。これに対して、出力Ｓ２が得られた白レベルデータを基準としてシェーディング補正を行えば、読取画像は全体的に暗くなる。したがって、外光Ｌが影響した基準部材５３に対して光量調整をして得られた光量調整値を用いて光源４２から光を照射して、基準部材５３に対して白レベルデータを取得することにより、外光Ｌを考慮した適切な光量による基準データが取得できる。
【００９４】
そして、シェーディング補正が行われたＣＩＳユニット４０の出力データは、画像データとしてＲＡＭ５８に格納される。また、制御部５５は、画像読取りを終えれば、走査キャリッジ４１をホームポジションＨＰへ戻して待機状態となる。
【００９５】
このように、本複合機１のスキャナ部２によれば、原稿押さえカバー６が原稿載置台４に対して閉じられている場合には、制御部５５は、基準部材５３に対して光量調整を行い、得られた光量調整値に基づいてＣＩＳユニット４０の光源４２から光を照射して原稿Ｇの画像読取りを行い、原稿押さえカバー６が原稿載置台４に対して開かれている場合には、制御部５５は、所定の光量設定値を光量値としてＣＩＳユニット４０の光源４２から光を照射して原稿Ｇの画像読取りを行うこととしたので、原稿押さえカバー６が開姿勢の場合に外光Ｌの影響を受けた光量調整値を用いることなく、ＣＩＳユニット４０による原稿Ｇの画像読取りを行うことができる。これにより、読取画像が暗くなったりぼやけたりする等の読取画像の劣化を防止できる。
【００９６】
なお、本実施の形態では、光量設定値は、製造時や工場出荷時にＥＥＰＲＯＭ５９に入力設定されるものとしたが、本発明に係る光量設定値は、このような予め設定されたものに限定されない。具体的には、例えば、図８に示したスキャナ部２の動作において、制御部５５は、得られた光量調整値が所定の範囲内であると判断した場合に（Ｓ６）、すなわち原稿押さえカバー６が原稿載置台４に対して閉じられている場合に、基準部材５３に対して行った光量調整（Ｓ１）によりＲＡＭ５８に記憶された光量調整値を（Ｓ２）、ＥＥＰＲＯＭ５９に格納して、その後の画像読取りにおける光量設定値として用いることができる。
【００９７】
また、スキャナ部２による画像読取り動作以外において、例えば、電源投入時や電源投入後の所定時間間隔で、制御部５５は、ＣＩＳユニット４０及びキャリッジ４１を動作させて基準部材５３に対して光量調整を行う。そして、得られた光量調整値が所定の範囲内であると判断した場合に、その光量調整値を光量設定値としてＥＥＰＲＯＭ５９に格納して、その後の画像読取りにおける光量設定値として用いることができる。
【００９８】
また、本実施の形態では、ＣＩＳユニット４０の光源４２を基準部材５３に対して光量調整し、得られた光量調整値が所定の範囲内であるか否かを判断することにより、外光Ｌの有無、すなわち原稿押さえカバー６の開閉を判断するものとしたが、ＣＩＳユニット４０を同様に本発明に係る開閉検知手段として、別の動作により得られたＣＩＳユニット４０の読取値に基づいて原稿押さえカバー６の開閉を判断することもできる。
【００９９】
具体的には、ＣＩＳユニット４０の光源４２を消灯して上記基準部材５３を読み取る。外光Ｌが原稿載置台４の内部に進入していなければ、光源４２を消灯して得られる読取値は、黒レベルデータに近い値となるが、外光Ｌが進入していれば、その外光Ｌを受光素子４４が読み取るので黒レベルデータより高い読取値が得られる。したがって、例えば、ＣＩＳユニット４０が出力する黒レベル基準信号に基づいて該読取値に対して適当な範囲を設定し、得られた読取値が所定の範囲外である場合に、原稿押さえカバー６が開姿勢と判断することができる。
【０１００】
また、さらに別の動作として、ＣＩＳユニット４０の光源４２を消灯して上記基準部材５３の左端の領域５３Ａと中央の領域５３Ｂとを読み取り、これら読取値の差から原稿押さえカバー６の開閉を判断することができる。外光Ｌが原稿載置台４の内部に進入していなければ、光源４２を消灯して得られる読取値は、白色の領域５３Ａであっても黒色の領域５３Ｂであっても、双方の読取値とも黒レベルデータに近い同等の値となるが、外光Ｌが進入していれば、その反射率の差により、双方の読取値に差が生じる。したがって、この読取値の差に対して適当な閾値を設定し、得られた読取値の差が閾値以上である場合に、原稿押さえカバー６が開姿勢と判断することができる。
【０１０１】
また、ＣＩＳユニット４０を本発明に係る開閉検知手段とせずに、マグネットセンサや光学センサを用いて原稿押さえカバー６の開閉を直接検知することとしてもよい。
【０１０２】
また、本実施の形態では、本発明に係る画像読取手段として密着型イメージセンサであるＣＩＳユニット４０を用いた場合について説明したが、本発明に係る画像読取手段は、密着型イメージセンサの他、例えば縮小光学系のＣＣＤイメージセンサを用いることもできる。
【図面の簡単な説明】
【０１０３】
【図１】図１は、本発明の実施の形態に係る複合機１の外観構成を示す斜視図である。
【図２】図２は、ＡＤＦ５の主要構成を示すＡ−Ａ断面図である。
【図３】図３は、原稿載置台４の構成を示す平面図である。
【図４】図４は、キャリッジ４１の構成を示す原稿載置台４の縦断面図である。
【図５】図５は、基準部材５３付近の構成を示す拡大断面図である。
【図６】図６は、基準部材５３の構成を示す平面図である。
【図７】図７は、複合機１の制御部５５の構成を示すブロック図である。
【図８】図８は、ＣＩＳユニット４０の出力調整を示すフローチャートである。
【図９】図９（ａ）は、光量調整におけるＣＩＳユニット４０の出力を示すグラフであり、図９（ｂ）は、原稿押さえカバー６が開いた状態の光量調整におけるＣＩＳユニット４０の出力を示すグラフであり、図９（ｃ）は、原稿押さえカバー６が開いた状態で光量設定値で光源４２を照射した場合のＣＩＳユニット４０の出力を示すグラフである。
【図１０】図１０は、原稿押さえカバー６が開いた状態の基準部材５３付近の構成を示す拡大断面図である。
【図１１】図１１は、従来の画像読取装置９０の概略構成を示す斜視図である。
【符号の説明】
【０１０４】
１・・・複合機（画像読取装置）
４・・・原稿載置台
５・・・ＡＤＦ（自動原稿搬送機構）
６・・・原稿押さえ部材
２０・・・プラテンガラス（透過部材）
２０Ｌ・・・搬送原稿読取領域
２０Ｒ・・・静止原稿読取領域
２２・・・給紙トレイ
２３・・・排紙トレイ
４０・・・ＣＩＳユニット（画像読取手段、密着型イメージセンサ、開閉検知手段）
４１・・・キャリッジ（走査手段）
４２・・・光源
５１・・・区画部材
５２・・・ガイド面
５３・・・基準部材
５５・・・制御部（制御手段）
Ｇ・・・原稿
【図１】
2006311316.tif 000003
【図２】
2006311316.tif 000004
【図３】
2006311316.tif 000005
【図４】
2006311316.tif 000006
【図５】
2006311316.tif 000007
【図６】
2006311316.tif 000008
【図７】
2006311316.tif 000009
【図８】
2006311316.tif 000010
【図９】
2006311316.tif 000011
【図１０】
2006311316.tif 000012
【図１１】
2006311316.tif 000013